(57)【要約】【課題】インターネット通信でホームページをリンク結合（提携）して提携先同士が収益を上げ、楽しくホームページを見るシステム技術を提供する。【解決手段】ホームページリンク結合（提携）でホームページのフレーム分割（２分割、または３分割）を行う、リンク時のターゲット属性の「同一ウィンドウ」「同一ウィンドウ」、「全画面」の属性の使いわけけることが大切である。ホームページリンク結合を行い、または  ｂａｃｋ  ｍｕｓｉｃを聴きながらホームページ同士を効率よく、リンク提携しあえば、ホームページが気分よく、見ることができ、ｂａｃｋ  ｍｕｓｉｃが自動的に流れ、繰返して流れる為に、仕事をやりながら、気分よく仕事ができる。また  企業間または個人の営業がしやすくなりより提携先同士で収益を上げることができるようになる。また誰にでも楽しくリクエストができるインターネット通信のホームページリンク結合システム開発方法。【選択図】図３
2008129618.tif 000002
【特許請求の範囲】
【請求項１】
ホームページフレーム分割を行い、容易にリンク統合を提供することを特徴とするインターネットリンク通信開発手法。
【請求項２】
歌（ｂａｃｋ  ｍｕｓｉｃ）を聴きながら楽しくホームページをみることができることを特徴とするインターネットリンク通信開発手法。
【請求項３】
リクエストが簡単にできることを、特徴とするインターネットリンク通信開発手法。
【請求項４】
背景を一元管理して、追加、修正等を簡単にできることを、特徴とするインターネットリンク通信開発手法。
【請求項５】
請求項１〜４いずれか記載のホームページリンク結合は、業務に関係なく開発ができることを特徴とするインターネットリンク通信開発手法。
【発明の詳細な説明】
【技術分野】
【０００１】
本発明は、歌のホームページと他人のホームページを統合して（リンク統合）歌を聴きながらのホームページを楽しく見るホームページリンク統合である。また  リクエストが簡単にできるホームページリンク結合である。なお、本発明は業務に関係なく適用することができるものである。
【背景技術】
【０００２】
従来、歌のホームページと他人のホームページを統合（リンク統合）してよりよいホームページにする開発は考えられなかった。  
【０００３】
【特許文献１】特開２００３−１７７９１４号公報
【０００４】
また近年、歌のホームページ  又は  ホームページの数は年々ふえてきている。
【０００５】
しかしながら、歌のホームページと他人のホームページを統合（リンク統合）して楽しく見やすいホームページを開発するには至っていない。
【０００６】
一方、最近における日本経済は企業と提携して無駄なお金をかけず企業  又は個人がより早く企業、個人と契約を結び、よりよいホームページ作成して、より早くホームページ上で商売を行うという方法がますます必要になる。
【０００７】
他方、無駄なお金をかけず、よりよいホームページの作成等が種々提案されているが、いずれも十分なものではなかった。
【０００８】
このように、現在までに提案されているインターネットのシステムの開発方法は自社分のホームページを作成するのみで、いまだ、ホームページリンクの有効活用にはいたっていない。
【発明の開示】
【発明が解決しようとする課題】
【０００９】
しかしながら、以上の技術によれば、開発費をあまりかけずインターネット音楽配信を利用して、各ホームページ同士のリンクを行い、ホームページの有効活用のソフト開発するこという方法は考えられなかった。
【００１０】
そこで、本発明は、ホームページの統合（リンク統合）を容易にして歌（ｂａｃｋ  ｍｕｓｉｃ）が流れるホームページリンク、また  リクエストが簡単できるホームページリンク結合、並びにシステム開発することを提供することを課題とする。
【００１１】
また、ホームページの統合（リンク統合）で、より営業がしやすくなることを提供することを課題とする。
【課題を解決するための手段】
【００１２】
以上の課題を解決するために、第一発明は、ホームページフレーム分割を行い、容易に歌のホームページと他人のホームページリンク統合を提供することを特徴とするシステムで有る。
【００１３】
また、第二発明は、歌（ｂａｃｋ  ｍｕｓｉｃ）を聴きながら楽しくホームページを見ることが、できることを提供することを特徴とするシステムで有る。
【００１４】
また、第三発明は、ホームページ同士がリンク結合でリクエストが簡単できることを、提供することを特徴とするシステムで有る。
【００１５】
また、第４発明は、背景を一元管理して、追加、修正等を簡単にしたできることを、提供することを特徴とするシステムで有る。
【発明の効果】
【００１６】
以上説明したように、本発明のホームページリンク統合によれば、下記の今までにない効果を奏するものである。
【００１７】
歌のホームページと他人のホームページを結合（提供）すれば、ホームページが営業に使えるようになり、収益が上がるようになる。
【００１８】
歌（ｂａｃｋ  ｍｕｓｉｃ）のホームページリンクができ、楽しくホームページを見ることができる。
【００１９】
これからのホームページのリンク産業として全国に派生する。
【発明を実施するための最良の形態】
【００２０】
図面に基づいて、本発明の実施の形態を説明する。
【実施例】
【００２１】
本発明の概念と作用は本人のホームページ：ＵＲＬ：http://homepage2.nifty.com/urltokyo/で、イメージ確認は、できるもので有る。
なお  インターネット音楽配信の代表的なファイル名はＸＸＸＸＸ．Ｗａｘ  ＸＸＸＸＸ．ａｓｘ  ＸＸＸＸＸ．ＷＭＡである
【００２２】
また  インターネット音楽配信はダウンロードしてマルチメデイアＭＣＩ（ＸＸＸＸＸ．Ａｓｘ）で聴くとして  説明を行う。
【００２３】
また  マルチメデイアＭＣＩ（ＸＸＸＸＸ．Ａｓｘ）をインターネット音楽配信の呼び名で、説明を行う。
【００２４】
また  当説明の前に、リンクする時の、属性のターゲット（Ｔ）の説明を行う。主に使用するリンクターゲットを説明する。
【００２５】
「新しいウィンドウ」は新しくウィンドウが作成されて、ページを最大にする事ができ、背景のみのページである。
【００２６】
「同一ウィンドウ」は同一ページ内にページが表示される。
【００２７】
「全画面」は全画面がウィンドウに表示される。
【００２８】
背景（Ａ１０４〜Ａ１０６）は、リンクターゲットは「新しいウィンドウ」で設定しておく。
【００２９】
背景（Ａ１１８）は、リンクターゲットは、「同一ウィンドウ」で設定しておく。
【００３０】
ｂａｃｋ  ｍｕｓｉｃ（Ａ１０８）とｂａｃｋ  ｍｕｓｉｃ（Ａ１１０）の違いはｂａｃｋ  ｍｕｓｉｃ（Ａ１１０）は自動的に歌が流れます。歌を聴きたくない時は、歌をｏｆｆにしてください。
【００３１】
ｂａｃｋ  ｍｕｓｉｃ（Ａ１０８）の方を聴きたい時は、ｂａｃｋ  ｍｕｓｉｃ（Ａ１０８）をクリックしてください。ただし  背景を見ながらｂａｃｋ  ｍｕｓｉｃ（Ａ１０８）を聴きたい時、マルチ処理用（Ａ１１１）を選択して、ｔｏｐフレーム（図１）を表示すると、ｂａｃｋ  ｍｕｓｉｃ（Ａ１１０）が流れる為、歌をｏｆｆにする。Ｂａｃｋ  ｍｕｓｉｃ（Ａ１０８）を選択すると、ｂａｃｋ  ｍｕｓｉｃが流れます。
マルチ処理用（Ａ１１１）は同じに複数処理をしたい時に、使用します。
【００３２】
マルチ処理用は図１（Ａ１１１）、図２（Ｂ１１１），図３（Ｃ１１８）の使用方法は、同じです。
【００３３】
ｂａｃｋ  ｍｕｓｉｃは、どのページでも自動的に流れます。
【００３４】
ただし  リンクホームページにより、自動的に歌が流れるホームページの時は、ｂａｃｋ  ｍｕｓｉｃを流さないようにするか、歌をｏｆｆにしてください。
【００３５】
また  アンケート、リクエストはｔｏｐフレーム（図１）を除き、全てできるホームページである。  なお  ｔｏｐフレーム（図１）にアンケート、リクエストを入れても、もちろんよろしいです。
【００３６】
図１は、本発明の概念と作用を示す図である。
【００３７】
同図に示すように、本システムの概念は、
ホームページのフレーム２分割（Ａ１０１，Ａ１０２）を行い、インターネット音楽配信等を利用してホームページのリンク結合を行い、back ｍｕｓｉｃ（Ａ１１０）が自動的に流れる。  背景を見ながらback ｍｕｓｉｃ（Ａ１１０）を聴きたい時は、背景（Ａ１０４）〜（Ａ１０６）、背景（Ａ１１８）をクリックすると、背景項目（図６）のページが表示されて、項目を選択すると、背景が表示される。また  背景プロバイダ（Ａ１０７）を選択すると、背景プロバイダ（図７）が表示される。
【００３８】
マルチ処理用（Ａ１１１）はback ｍｕｓｉｃ（Ａ１０８）を聴きたい時、使用します。
【００３９】
図１の、本発明の詳細を説明する。
【００４０】
ホームページが表示されると、自動的にｂａｃｋ  ｍｕｓｉｃ（Ａ１１０）が流れる。
【００４１】
メッセージ欄（Ａ１０９）に流れるメッセージが表示され、使用説明等を流します。
【００４２】
問い合わせ（Ａ１０３）は問い合わせのホームページです。
【００４３】
背景を見たい時は、背景（Ａ１０４〜Ａ１０６）を選択する。
【００４４】
リンクターゲットは「新しいウィンドウ」で設定しておく為、背景は新しいウィンドウで表示されます。
【００４５】
また  背景（Ａ１１８）を選択すると、リンクターゲットは「同一ウィンドウ」で設定しておく為、背景は同一ページ（Ａ１０２）に表示されます。
【００４６】
ｂａｃｋ  ｍｕｓｉｃ（Ａ１０８）の方を聴きたい時、マルチ処理用（Ａ１１１）を選択すると、ｔｏｐフレーム（図１）が表示される。
【００４７】
ｂａｃｋ  ｍｕｓｉｃ（Ａ１１０）が自動的に流れる為、歌をｏｆｆにしておきます。
【００４８】
歌をｏｆｆにしないと、ｂａｃｋ  ｍｕｓｉｃが二重に流れます。
【００４９】
ｂａｃｋ  ｍｕｓｉｃ（Ａ１０８）を選択すると、ｂａｃｋ  ｍｕｓｉｃ（Ａ１０８）にリンクされている、ｂａｃｋ  ｍｕｓｉｃのホームページが表示されます。
【００５０】
表示されましたら、ホームページの手順で操作を行う。
【００５１】
歌手（Ａ１１２〜Ａ１１６）から歌手を選択すると、図２のページに行きます。
【００５２】
背景プロバイダ（Ａ１０７）を選択すると、背景プロバイダ（図７）に行きます。
【００５３】
図２は、本発明の概念と作用を示す図である。
【００５４】
同図に示すように、本システムの概念は、
ホームページのフレーム２分割（Ｂ１０１，Ｂ１０２）を行い、インターネット音楽配信等を利用してホームページのリンク結合を行い、back ｍｕｓｉｃ（Ｂ１１０）が自動的に流れる。  背景を見ながらback ｍｕｓｉｃ（Ｂ１１０）を聴きたい時は、背景（Ｂ１０６）、背景（Ｂ１１８）をクリックすると、背景項目（図６）のページが表示されて、項目を選択すると、背景が表示される。また  背景プロバイダ（Ｂ１０７）を選択すると、背景プロバイダ（図７）が表示される。
【００５５】
マルチ処理用（Ｂ１１１）はback ｍｕｓｉｃ（Ｂ１０８）を聴きたい時、使用します。
【００５６】
図２の、本発明の詳細を説明する。
【００５７】
ホームページが表示されると、自動的にｂａｃｋ  ｍｕｓｉｃ（Ｂ１１０）が流れる。
【００５８】
メッセージ欄（Ｂ１０９）に流れるメッセージが表示され、使用説明等を流します。
【００５９】
問い合わせ（Ｂ１０３）は問い合わせのホームページです。
【００６０】
アンケート（Ｂ１０４）はアンケートのホームページです。
【００６１】
リクエスト（Ｂ１０５）を選択すると、リクエスト（図４）のホームページに行きます。
【００６２】
背景を見たい時は、背景（Ｂ１０６）を選択する。
【００６３】
リンクターゲットは「新しいウィンドウ」で設定しておく為、背景は新しいウィンドウで表示されます。
【００６４】
また  背景（Ｂ１１７）を選択すると、リンクターゲットは「同一ウィンドウ」で設定しておく為、背景は同一ページ（Ｂ１０２）に表示されます。
【００６５】
ｂａｃｋ  ｍｕｓｉｃ（Ｂ１０８）の方を聴きたい時、マルチ処理用（Ｂ１１２）を選択すると、ｔｏｐフレーム（図１）が表示される。
【００６６】
ｂａｃｋ  ｍｕｓｉｃ（Ｂ１１０）が自動的に流れる為、歌をｏｆｆにします。
【００６７】
歌をｏｆｆにしないと、ｂａｃｋ  ｍｕｓｉｃが二重に流れます。
【００６８】
ｂａｃｋ  ｍｕｓｉｃ（Ｂ１０８）を選択すると、ｂａｃｋ  ｍｕｓｉｃ（Ｂ１０８）にリンクされている、ｂａｃｋ  ｍｕｓｉｃのホームページが表示されます。
【００６９】
表示されましたら、ホームページの手順で操作を行う。
【００７０】
選曲（Ｂ１１３〜Ｂ１１５）から歌手を選択すると、サブメニュー（図２）のページに行きます。
【００７１】
歌手（Ｂ１１６）を選択すると、図５のページが表示されます。
【００７２】
背景プロバイダ（Ｂ１０７）を選択すると、背景プロバイダ（図７）のページが表示されます。
【００７３】
図３は、本発明の概念と作用を示す図である。
【００７４】
同図に示すように、本システムの概念は、
【００７５】
ホームページのフレーム３分割（Ｃ１０１，Ｃ１０２，Ｃ１０３）を行い、インターネット音楽配信等を利用してホームページのリンク結合を行い、back ｍｕｓｉｃ（Ｃ１１１）が自動的に流れる。  背景を見ながらback ｍｕｓｉｃを聴きたい時は、背景（Ｃ１０７）、Ｃ１１２，Ｃ１１３，Ｃ１１４をクリックすると、背景項目（図６）のページが表示されて、項目を選択すると、背景が表示される。また  背景プロバイダ（Ｃ１０８）を選択すると、背景プロバイダ（図７）が表示される。
【００７６】
歌詞を見ながら、ｂａｃｋ  ｍｕｓｉｃ（Ｃ１１１）を聴きたい時は、選択すれば、歌詞は表示されます。
【００７７】
リンク属性のターゲット（Ｔ）を「新しいウィンドウ」を設定しておく。
【００７８】
マルチ処理用（Ｃ１１８）はback ｍｕｓｉｃ（Ｃ１０９）を聴きたい時、使用します。
【００７９】
図３の、本発明の詳細を説明する。
【００８０】
ホームページが表示されると、自動的にｂａｃｋ  ｍｕｓｉｃ（Ｃ１１１）が流れる。
【００８１】
メッセージ欄（Ｃ１１０）に流れるメッセージは表示され、使用説明等を流します。
【００８２】
メッセージ欄（Ｃ１１９）に流れるメッセージは表示され、使用説明等を流します。
【００８３】
問い合わせ（Ｃ１０４）は問い合わせのホームページです。
【００８４】
アンケート（Ｃ１０５）はアンケートのホームページです。
【００８５】
リクエスト（Ｃ１０６）を選択すると、リクエスト（図４）のホームページに行きます。
【００８６】
背景を見たい時は、背景（Ｃ１０７）を選択する。
【００８７】
リンクターゲットは「新しいウィンドウ」で設定しておく為、背景は新しいウィンドウで表示されます。
【００８８】
または  背景（Ｃ１２０）を選択する。
【００８９】
リンクターゲットは「同一ウィンドウ」で設定しておく為、背景は同一ページ（Ｃ１０３）に表示されます。
【００９０】
歌手（Ｃ１１７）に歌手本人のｔｏｐフレームのリンクを張り、リンクターゲットは「全画面」で設定しておき、歌手本人へ飛び、ホームページが表示されます。
【００９１】
背景プロバイダ（Ｃ１０８）を選択すると、背景プロバイダ（図７）のページが表示されます。
【００９２】
図４は、本発明の概念と作用を示す図である。
【００９３】
同図に示すように、本システムの概念は、
【００９４】
ホームページのフレーム２分割（Ｄ１０１，Ｄ１０２）を行い、リクエスト会社（Ｄ１０４〜Ｄ１０８）を選択すると、リンクされているリクエスト会社はリンクターゲットは「同一ウィンドウ」で設定しておく為、リクエスト会社は同一ページ（Ｄ１０２）に表示され，入力表示項目（Ｄ１０３）より、マウスでコピーしてリクエストが簡単にできる。
【００９５】
図４の、本発明の詳細を説明する。
【００９６】
リクエスト会社（Ｄ１０４〜Ｄ１０８）を選択すると、リンクしている、リクエスト会社が同一ページ（Ｄ１０２）に表示されます。
【００９７】
入力表示項目（Ｄ１０３）に表示されている項目を、リクエスト会社の同項目に、マウスでコピーする。
【００９８】
なお  入力表示項目（Ｄ１０３）は、テキストボックスでコピーしやすいように、項目名を表示して、おく。
【００９９】
リクエスト会社に送信する。
【０１００】
リクエスト会社とはＤＡＭ，セガ等です。
【０１０１】
全てのリクエスト会社に簡単にリクエストが、できるように、入力表示項目（Ｄ１０３）を設定しておく。
【０１０２】
図５は、本発明の概念と作用を示す図である。
【０１０３】
同図に示すように、本システムの概念は、
【０１０４】
ホームページのフレーム２分割（Ｅ１０１，Ｅ１０２）を行い、インターネット音楽配信等を利用してホームページのリンク結合を行い、本人のback ｍｕｓｉｃ（Ｅ１０６）が自動的に流れ、歌手（Ｅ１０７）を選択すると、歌手本人のホームページが表示されます。
【０１０５】
なお  歌手（Ｅ１０７）はリンク属性のターゲット（Ｔ）は「同一ウィンドウ」を設定しておく。
【０１０６】
歌手（Ｅ１０７）のホームページでは、リンク属性のターゲット（Ｔ）を「同一ウィンドウ」で有る為に、フレーム分割上側（Ｅ１０１）といっしょに、表示されて、ｂａｃｋ  ｍｕｓｉｃ（Ｅ１０６）が自動的に流れる。
【０１０７】
なお  歌が流れる歌手のホームページは、ｂａｃｋ  ｍｕｓｉｃ（Ｅ１０６）は、いりません。
【０１０８】
図５の、本発明の詳細を説明する。
【０１０９】
ホームページが表示されると、自動的にｂａｃｋ  ｍｕｓｉｃ（Ｂ１１０）が流れる。
【０１１０】
メッセージ欄（Ｅ１０５）に流れるメッセージは表示され、使用説明等を流します。
【０１１１】
問い合わせ（Ｅ１０３）は問い合わせのホームページです。
【０１１２】
アンケート（Ｅ１０４）はアンケートのホームページです。
【０１１３】
リクエスト（Ｅ１０５）を選択すると、リクエスト（図４）のホームページに行きます。
【０１１４】
歌手（Ｅ１０７）は歌手本人のページに飛びます。
【０１１５】
リンク属性のターゲット（Ｔ）は「同一ウィンドウ」を設定しておく。
【０１１６】
図６は、本発明の概念と作用を示す図である。
【０１１７】
同図に示すように、本システムの概念は、
背景を選択機能です。
全国と海外に分けて選択が分りやすいと、思います。
ここは  選択ｓｅｌｅｃｔの項目の数で、それ毎に、ページを作成することも、可能です。
【０１１８】
背景から呼ばれるところを一元管理して、修正、追加等が容易にでき、システムが分りやすい。
【０１１９】
背景とは、図１の背景（Ａ１０４〜Ａ１０６），（Ａ１１８），図２の背景（Ｂ１０６），（Ｂ１１８），図３の背景（Ｃ１０７），（Ｃ１１２，Ｃ１１３，Ｃ１１４）、（Ｃ１２０）で有る。
【０１２０】
図６の、本発明の詳細を説明する。
【０１２１】
背景ｓｅｌｅｃｔ（Ｆ１０１）〜（Ｆ１０８）は業種別とか地域別に分けておけば、分りやすい。
【０１２２】
例として、全国背景ｓｅｌｅｃｔ（Ｆ１０１）より背景項目を選択する。
【０１２３】
選択した背景項目が表示される。
【０１２４】
全国背景ｓｅｌｅｃｔ（Ｆ１０２）〜海外背景ｓｅｌｅｃｔ（Ｆ１０８）も、上記と同様です。
【０１２５】
図７は、本発明の概念と作用を示す図である。
【０１２６】
同図に示すように、本システムの概念は、
背景をプロバイダにして、ｂａｃｋ  ｍｕｓｉｃを聴きながら検索する機能です。
【０１２７】
図７の、本発明の詳細を説明する。
【０１２８】
背景プロバイダ（Ｇ１０１）〜（Ｇ１０４）を選択すると、プロバイダが表示されます。
【０１２９】
検索機能で、検索します。
【０１３０】
以上説明した本発明のホームページリンク結合は、販売されているインターネット配信のみじゃなくて販売されているＣＤを設置することも可能である。
【０１３１】
また  属性のターゲット（Ｔ）を「新しいウィンドウ」でホームページを作成すれば、もちろん  分割しないで、1フレームで可能です。
【０１３２】
また  属性のターゲット（Ｔ）を「新しいウィンドウ」以外にも組合せていろいろな表示方法もあります。全画面、親ウィンドウ、同一ウィンドウ等があり、組合せておこない、楽しく作ることができる。
【０１３３】
また  フレーム分割のフレーム属性の設定して楽しくホームページを作ることができる。
【０１３４】
また  ｓｅｌｅｃｔボタン、ラジオボタン等を使用しながら楽しくホームページを作ることができる。
【０１３５】
また  ２分割ならクリックボタンを下側にし、３分割なら下左側、下右側にして楽しくホームページを作ることができる。
【０１３６】
また  もちろんフレーム分割しないで２分割、３分割と同じようにクリックボタンを使用して作ることも、もちろんできる。
【０１３７】
また  縁起を担ぐホームページなら背景機能にお寺なんかのリンクなんかよろしいと思います。
【０１３８】
以上、本発明のホームページリンク結合を用いたシステム開発方法並びにシステムの一実施の形態について詳細に説明したが、本発明は、前記実施の形態に限定されず、本発明の要旨を逸脱しない範囲で種々変更しても差し支えない。
【０１３９】
また  本発明用の本人のホームページ：ＵＲＬ：http://homepage2.nifty.com/urltokyo/で、イメージ確認を参考にしてください。
【０１４０】
また  背景に分りやすくＣＤの購入を入れるのも、よろしいですよ。
【０１４１】
また  メッセージ欄は自由にホームページ上に、追加もかまわないです。
【図面の簡単な説明】
【０１４２】
【図１】フレームホームページ２分割のｔｏｐフレームの概要説明図である。
【図２】フレームホームページ２分割のサブメニューホームページ概要説明図である。
【図３】フレームホームページ３分割のホームページ概要説明図である。
【図４】フレームホームページ２分割のリクエストリンク概要説明図である。
【図５】フレームホームページ２分割の歌手リンク概要説明図である。
【図６】共通項目選択ページ概要説明図である。
【図７】背景プロバイダホームページ概要説明図である。
【符号の説明】
【０１４３】
Ａ１００：図１ｔｏｐフレーム
Ａ１０１：図１ｔｏｐフレーム分割ページ（上側）
Ａ１０２：図１ｔｏｐフレーム分割ページ（下側）
Ａ１０３：問い合わせ
Ａ１０４：背景
Ａ１０５：背景
Ａ１０６：背景
Ａ１０７：背景プロバイダ
Ａ１０８：ｂａｃｋ  ｍｕｓｉｃ２
Ａ１０９：メッセージ欄
Ａ１１０：ｂａｃｋ  ｍｕｓｉｃ１
Ａ１１１：マルチ処理用
Ａ１１２：歌手
Ａ１１３：歌手
Ａ１１４：歌手
Ａ１１５：歌手
Ａ１１６：歌手
Ａ１１７：写真  または  画像
Ａ１１８：背景
Ｂ１００：図２サブメニューフレーム
Ｂ１０１：図２サブメニューフレーム分割ページ（上側）
Ｂ１０２：図２サブメニューフレーム分割ページ（下側）
Ｂ１０３：問い合わせ
Ｂ１０４：アンケート
Ｂ１０５：リクエスト
Ｂ１０６：背景
Ｂ１０７：背景プロバイダ
Ｂ１０８：ｂａｃｋ  ｍｕｓｉｃ
Ｂ１０９：メッセージ欄
Ｂ１１０：ｂａｃｋ  ｍｕｓｉｃ
Ｂ１１１：メッセージ欄
Ｂ１１２：マルチ処理用
Ｂ１１３：選曲
Ｂ１１４：選曲
Ｂ１１５：選曲
Ｂ１１６：歌手
Ｂ１１７：背景
Ｂ１１８：写真  または  画像
Ｃ１００：図３フレーム
Ｃ１０１：図３フレーム分割ページ（上側）
Ｃ１０２：図３フレーム分割ページ（左側）
Ｃ１０３：図３フレーム分割ページ（右側）
Ｃ１０４：問い合わせ
Ｃ１０５：アンケート
Ｃ１０６：リクエスト
Ｃ１０７：背景
Ｃ１０８：背景プロバイダ
Ｃ１０９：ｂａｃｋ  ｍｕｓｉｃ
Ｃ１１０：メッセージ欄
Ｃ１１１：ｂａｃｋ  ｍｕｓｉｃ
Ｃ１１２：背景
Ｃ１１３：背景
Ｃ１１４：背景
Ｃ１１５：歌詞
Ｃ１１６：写真  または  画像
Ｃ１１７：歌手
Ｃ１１８：マルチ処理用
Ｃ１１９：メッセージ欄
Ｃ１２０：背景
Ｃ１２１：写真  または  画像
Ｄ１００：図４リクエストフレーム
Ｄ１０１：図４リクエストフレーム分割ページ（左側）
Ｄ１０２：図４リクエストフレーム分割ページ（右側）
Ｄ１０３：入力表示項目
Ｄ１０４：リクエスト会社
Ｄ１０５：リクエスト会社
Ｄ１０６：リクエスト会社
Ｄ１０７：リクエスト会社
Ｄ１０８：リクエスト会社
Ｅ１００：図５リンク歌手フレーム
Ｅ１０１：図５リンク歌手フレーム分割ページ（上側）
Ｅ１０２：図５リンク歌手フレーム分割ページ（下側）
Ｅ１０３：アンケート
Ｅ１０４：リクエスト
Ｅ１０５：メッセージ欄
Ｅ１０６：ｂａｃｋ  ｍｕｓｉｃ
Ｅ１０７：歌手
Ｅ１０８：写真  または  画像
Ｆ１００：図６背景フレーム
Ｆ１０１：全国背景ｓｅｌｅｃｔ
Ｆ１０２：全国背景ｓｅｌｅｃｔ
Ｆ１０３：全国背景ｓｅｌｅｃｔ
Ｆ１０４：全国背景ｓｅｌｅｃｔ
Ｆ１０５：海外背景ｓｅｌｅｃｔ
Ｆ１０６：海外背景ｓｅｌｅｃｔ
Ｆ１０７：海外背景ｓｅｌｅｃｔ
Ｆ１０８：海外背景ｓｅｌｅｃｔ
Ｇ１００：図７背景プロバイダ
Ｆ１０１：プロバイダ
Ｆ１０２：プロバイダ
Ｆ１０３：プロバイダ
Ｆ１０４：プロバイダ
【図１】
2008129618.tif 000003
【図２】
2008129618.tif 000004
【図３】
2008129618.tif 000005
【図４】
2008129618.tif 000006
【図５】
2008129618.tif 000007
【図６】
2008129618.tif 000008
【図７】
2008129618.tif 000009